【手続補正書】
【提出日】平成22年3月10日(2010.3.10)
【手続補正１】
【補正対象書類名】特許請求の範囲
【補正対象項目名】全文
【補正方法】変更
【補正の内容】
【特許請求の範囲】
【請求項１】
生体の弁輪内に心臓弁アセンブリを移植するためのシステムであって、
前記生体の弁輪内に移植可能な環状プロテーゼと、
前記環状プロテーゼに接続可能な人工弁と、
人工弁イントロデューサと、を含み、
前記人工弁イントロデューサが、筒状体を含み、
前記筒状体が、
前記筒状体の中に前記人工弁を受容するための近位端と、
前記生体の弁輪内に前記環状プロテーゼが移植された後に前記人工弁イントロデューサを通って前記環状プロテーゼに向けて前記人工弁を導入するために、前記生体の弁輪に導入できる寸法にされた遠位端と、を含むことを特徴とするシステム。
【請求項２】
ガスケット部材は、当該ガスケット部材から伸びる複数の細長い要素を含み、
前記人工弁イントロデューサは、前記遠位端の近傍に、前記細長い要素の各々を通して受容するための複数の穴を含むことを特徴とする請求項１に記載のシステム。
【請求項３】
前記人工弁イントロデューサは、前記人工弁イントロデューサの前記遠位端を前記複数の細長い要素から容易に分離するために、前記穴の近傍に、引き裂くことのできる領域を含むことを特徴とする請求項２に記載のシステム。
【請求項４】
前記細長い要素は、前記ガスケット部材に隣接した１つ以上のコネクタを含み、
前記人工弁イントロデューサが前進して前記ガスケット部材に隣接したときに、前記穴を通して前記コネクタを受容可能であり、前記ガスケット部材に対する前記人工弁イントロデューサのその後の実質的な近位の動作を防止することを特徴とする請求項２に記載のシステム。
【請求項５】
ガスケット部材は、前記人工弁を受容するためのカラー又は弁座を含み、
前記人工弁イントロデューサの前記遠位端が、前記カラー又は弁座の少なくとも一部に受容される寸法にされていることを特徴とする請求項１に記載のシステム。
【請求項６】
前記人工弁イントロデューサは、実質的に透明であることを特徴とする請求項１に記載のシステム。
【請求項７】
前記人工弁イントロデューサは、引き裂くことのできる領域を含み、
前記引き裂くことのできる領域が、前記人工弁イントロデューサを分離して容易に除去するために、前記人工弁イントロデューサの前記近位端と前記遠位端との間の少なくとも一部に伸びていることを特徴とする請求項１に記載に記載のシステム。
【請求項８】
前記引き裂くことのできる領域は、前記人工弁イントロデューサの前記近位端と前記遠位端との間の少なくとも一部に伸びている穿孔領域、薄い壁部の領域及び弱い領域の少なくとも１つを含むことを特徴とする請求項７に記載のシステム。
【請求項９】
前記人工弁イントロデューサは、前記引き裂くことのできる領域に沿って前記人工弁イントロデューサを引き裂くためのリップコードをさらに含むことを特徴とする請求項７に記載のシステム。
【請求項１０】
前記リップコードが、前記人工弁イントロデューサの前記遠位端に隣接した穴を通って受容されていることを特徴とする請求項９に記載のシステム。
【請求項１１】
前記リップコードは、前記人工弁イントロデューサの前記近位端及び前記遠位端の間に伸びたループを含むことを特徴とする請求項９に記載のシステム。
【請求項１２】
前記筒状体の少なくとも一部は、多面の断面を有することを特徴とする請求項１に記載のシステム。
【請求項１３】
前記筒状体の前記遠位端は、前記人工弁と類似の断面を持ち、それにより、前記人工弁イントロデューサからの導入中に、所望の角度方向で前記人工弁を実質的に維持することを特徴とする請求項１２に記載のシステム。
【請求項１４】
前記筒状体は前記近位端及び前記遠位端の間で先細りにされていることを特徴とする請求項１に記載のシステム。
【請求項１５】
前記遠位端は前記近位端より小さいことを特徴とする請求項１に記載のシステム。
【請求項１６】
前記筒状体は、前記筒状体の少なくとも前記遠位端のプロファイルを縮小するために、可動であることを特徴とする請求項１に記載のシステム。
【請求項１７】
前記遠位端は、前記遠位端のプロファイルを縮小するために操作される複数の花弁を含むことを特徴とする請求項１に記載のシステム。
【請求項１８】
前記近位端の近傍に枢着点をさらに含み、
前記枢着点は、前記人工弁イントロデューサが、前記枢着点より下側の位置で圧縮されて前記遠位端のプロファイルを縮小するのを可能にすることを特徴とする請求項１に記載のシステム。
【請求項１９】
前記筒状体は、前記筒状体になるように形作られた材料の平坦なシートを含むことを特徴とする請求項１に記載のシステム。
【請求項２０】
前記平坦なシートの対向する縁部は、１つ以上の協働するコネクタを含み、
前記コネクタは、前記筒状体を実質的に筒状の形状で固定することを特徴とする請求項１９に記載のシステム。
【請求項２１】
生体の弁輪へ人工弁を届けるための人工弁イントロデューサであって、
前記人工弁イントロデューサは、筒状体を含み、
前記筒状体が、
前記筒状体の中に前記人工弁を受容するための近位端と、
前記筒状体内の前記人工弁をガイドするために、前記生体の弁輪に導入できる寸法にされた遠位端と、を含むことを特徴とする人工弁イントロデューサ。
【請求項２２】
ガスケット部材は、当該ガスケット部材から伸びる複数の細長い要素を含み、
前記人工弁イントロデューサは、前記遠位端の近傍に、前記細長い要素の各々を通して受容するための複数の穴を含むことを特徴とする請求項２１に記載の人工弁イントロデューサ。
【請求項２３】
前記人工弁イントロデューサは、前記人工弁イントロデューサの前記遠位端を前記複数の細長い要素から容易に分離するために、前記穴の近傍に、引き裂くことのできる領域を含むことを特徴とする請求項２２に記載の人工弁イントロデューサ。
【請求項２４】
前記細長い要素は、前記ガスケット部材に隣接した１つ以上のコネクタを含み、
前記人工弁イントロデューサが前進して前記ガスケット部材に隣接したときに、前記穴を通して前記コネクタを受容可能であり、前記ガスケット部材に対する前記人工弁イントロデューサのその後の実質的な近位の動作を防止することを特徴とする請求項２２に記載の人工弁イントロデューサ。
【請求項２５】
前記ガスケット部材は、前記人工弁を受容するためのカラー又は弁座を含み、
前記人工弁イントロデューサの前記遠位端が、前記カラー又は弁座の少なくとも一部に受容される寸法にされていることを特徴とする請求項２１に記載の人工弁イントロデューサ。
【請求項２６】
前記人工弁イントロデューサは、実質的に透明であることを特徴とする請求項２１に記載の人工弁イントロデューサ。
【請求項２７】
前記人工弁イントロデューサは、引き裂くことのできる領域を含み、
前記引き裂くことのできる領域が、前記人工弁イントロデューサを分離して容易に除去するために、前記人工弁イントロデューサの前記近位端と前記遠位端との間の少なくとも一部に伸びていることを特徴とする請求項２１に記載の人工弁イントロデューサ。
【請求項２８】
前記引き裂くことのできる領域は、前記人工弁イントロデューサの前記近位端と前記遠位端との間の少なくとも一部に伸びている穿孔領域、薄い壁部の領域及び弱い領域の少なくとも１つを含むことを特徴とする請求項２７に記載の人工弁イントロデューサ。
【請求項２９】
前記人工弁イントロデューサは、前記引き裂くことのできる領域に沿って前記人工弁イントロデューサを引き裂くためのリップコードをさらに含むことを特徴とする請求項２７に記載の人工弁イントロデューサ。
【請求項３０】
前記リップコードが、前記人工弁イントロデューサの前記遠位端に隣接した穴を通って受容されていることを特徴とする請求項２９に記載の人工弁イントロデューサ。
【請求項３１】
前記リップコードは、前記人工弁イントロデューサの前記近位端及び前記遠位端の間に伸びたループを含むことを特徴とする請求項２９に記載の人工弁イントロデューサ。
【請求項３２】
前記筒状体の少なくとも一部は、多面の断面を有することを特徴とする請求項２１に記載の人工弁イントロデューサ。
【請求項３３】
前記筒状体の前記遠位端は、前記人工弁と類似の断面を持ち、それにより、前記人工弁イントロデューサからの導入中に、所望の角度方向で前記人工弁を実質的に維持することを特徴とする請求項２２に記載の人工弁イントロデューサ。
【請求項３４】
前記筒状体は前記近位端及び前記遠位端の間で先細りにされていることを特徴とする請求項２１に記載の人工弁イントロデューサ。
【請求項３５】
前記遠位端は前記近位端より小さいことを特徴とする請求項２１に記載の人工弁イントロデューサ。
【請求項３６】
前記筒状体は、前記筒状体の少なくとも前記遠位端のプロファイルを縮小するために、可動であることを特徴とする請求項２１に記載の人工弁イントロデューサ。
【請求項３７】
前記遠位端は、前記遠位端のプロファイルを縮小するために操作される複数の花弁を含むことを特徴とする請求項２１に記載の人工弁イントロデューサ。
【請求項３８】
前記近位端の近傍に枢着点をさらに含み、
前記枢着点は、前記人工弁イントロデューサが、前記枢着点より下側の位置で圧縮されて前記遠位端のプロファイルを縮小するのを可能にすることを特徴とする請求項２１に記載の人工弁イントロデューサ。
【請求項３９】
前記筒状体は、前記筒状体になるように形作られた材料の平坦なシートを含むことを特徴とする請求項２１に記載の人工弁イントロデューサ。
【請求項４０】
前記平坦なシートの対向する縁部は、１つ以上の協働するコネクタを含み、
前記コネクタは、前記筒状体を実質的に筒状の形状で固定することを特徴とする請求項３９に記載の人工弁イントロデューサ。
【請求項４１】
前記筒状体は、マイラーシートを含むことを特徴とする請求項２１に記載の人工弁イントロデューサ。
【請求項４２】
前記筒状体は、透明な材料を含むことを特徴とする請求項２１に記載の人工弁イントロデューサ。
【請求項４３】
平坦なシートからの人工弁イントロデューサを組み立てる方法であって、
巻くこと及び折り曲げることの少なくとも一方により前記シートを筒状体にする工程と、
前記筒状体を筒状の形状で固定する工程と、を含むことを特徴とする組立方法。
【請求項４４】
前記筒状体は、人工弁の形状にほぼ対応する多面の形状に折り曲げられることを特徴とする請求項４３に記載の組立方法。
【請求項４５】
前記筒状の形状で固定する工程が、前記平坦なシートの対向する縁部の１つ以上のコネクタを互いに接続する工程を含むことを特徴とする請求項４３に記載の組立方法。